(57)【特許請求の範囲】
【請求項１】
エレベーターのかごと、
前記かごを制御する制御装置と、
前記制御装置に接続され、外部と通信するための監視装置と、
前記監視装置に電力を供給することが可能な二次電池と、
を備え、
前記監視装置は、
前記二次電池を充電するための充電手段と、
前記二次電池の取替周期を演算するための複数の演算式が記憶された記憶手段と、
前記監視装置に対する電源のオンオフ回数を検出する第３検出手段と、
前記第３検出手段が検出したオンオフ回数に基づいて、前記監視装置に対する電源のオンオフ情報を前記記憶手段に登録する登録手段と、
前記登録手段が前記記憶手段に登録した電源のオンオフ情報に基づいて、前記複数の演算式の中から１つを選択する選択手段と、
前記二次電池の温度を検出する第１検出手段と、
前記選択手段が選択した演算式及び前記第１検出手段が検出した温度に基づいて、前記二次電池の取替周期を演算する演算手段と、
前記二次電池の稼働時間を検出する第２検出手段と、
前記演算手段が演算した取替周期及び前記第２検出手段が検出した稼働時間に基づいて、前記二次電池の残り寿命に応じた信号を送信する通信手段と、
を備えたエレベーター装置。
【請求項２】
エレベーターのかごと、
前記かごを制御する制御装置と、
前記制御装置に接続され、外部と通信するための監視装置と、
前記監視装置に電力を供給することが可能な二次電池と、
を備え、
前記監視装置は、
前記二次電池を充電するための充電手段と、
前記二次電池の取替周期を演算するための演算式が記憶された記憶手段と、
前記監視装置に対する電源のオンオフ回数を検出する第３検出手段と、
前記第３検出手段が検出したオンオフ回数に基づいて、前記監視装置に対する電源のオンオフ情報を前記記憶手段に登録する登録手段と、
前記二次電池の温度を検出する第１検出手段と、
前記登録手段が前記記憶手段に登録した電源のオンオフ情報及び前記第１検出手段が検出した温度に基づいて、前記演算式から前記二次電池の取替周期を演算する演算手段と、
前記二次電池の稼働時間を検出する第２検出手段と、
前記演算手段が演算した取替周期及び前記第２検出手段が検出した稼働時間に基づいて、前記二次電池の残り寿命に応じた信号を送信する通信手段と、
を備えたエレベーター装置。
【請求項３】
エレベーターの制御装置に接続される監視装置であって、
二次電池を充電するための充電手段と、
前記二次電池の取替周期を演算するための複数の演算式が記憶された記憶手段と、
電源のオンオフ回数を検出する第３検出手段と、
前記第３検出手段が検出したオンオフ回数に基づいて、電源のオンオフ情報を前記記憶手段に登録する登録手段と、
前記登録手段が前記記憶手段に登録した電源のオンオフ情報に基づいて、前記複数の演算式の中から１つを選択する選択手段と、
前記二次電池の温度を検出する第１検出手段と、
前記選択手段が選択した演算式及び前記第１検出手段が検出した温度に基づいて、前記二次電池の取替周期を演算する演算手段と、
前記二次電池の稼働時間を検出する第２検出手段と、
前記演算手段が演算した取替周期及び前記第２検出手段が検出した稼働時間に基づいて、前記二次電池の残り寿命に応じた信号を送信する通信手段と、
を備えた監視装置。
【請求項４】
エレベーターの制御装置に接続される監視装置であって、
二次電池を充電するための充電手段と、
前記二次電池の取替周期を演算するための演算式が記憶された記憶手段と、
電源のオンオフ回数を検出する第３検出手段と、
前記第３検出手段が検出したオンオフ回数に基づいて、電源のオンオフ情報を前記記憶手段に登録する登録手段と、
前記二次電池の温度を検出する第１検出手段と、
前記登録手段が前記記憶手段に登録した電源のオンオフ情報及び前記第１検出手段が検出した温度に基づいて、前記演算式から前記二次電池の取替周期を演算する演算手段と、
前記二次電池の稼働時間を検出する第２検出手段と、
前記演算手段が演算した取替周期及び前記第２検出手段が検出した稼働時間に基づいて、前記二次電池の残り寿命に応じた信号を送信する通信手段と、
を備えた監視装置。
【発明の詳細な説明】
【技術分野】
【０００１】
この発明は、エレベーター装置とエレベーターの制御装置に接続される監視装置とに関する。
【背景技術】
【０００２】
特許文献１にエレベーター装置が記載されている。特許文献１に記載されたエレベーター装置は、二次電池を備える。例えば、特許文献１の実施の形態３には、二次電池を停電等の非常時にのみ電源として用いる例が記載されている。
【先行技術文献】
【特許文献】
【０００３】
【特許文献１】日本特開２００６−３１２５２８号公報
【発明の概要】
【発明が解決しようとする課題】
【０００４】
特許文献１には、二次電池の温度に基づいて、二次電池の寿命を予測する例が記載されている。しかし、エレベーター装置の使用環境によっては予測が外れてしまい、二次電池の取替周期を正しく判断することができないといった問題があった。【０００５】
この発明は、上述のような課題を解決するためになされた。この発明の目的は、二次電池の取替周期をより正確に知ることができるエレベーター装置を提供することである。また、この発明の目的は、そのような機能をエレベーター装置に付与できる監視装置を提供することである。
【課題を解決するための手段】
【０００６】
この発明に係るエレベーター装置は、エレベーターのかごと、かごを制御する制御装置と、制御装置に接続され、外部と通信するための監視装置と、監視装置に電力を供給することが可能な二次電池と、を備える。監視装置は、二次電池を充電するための充電手段と、二次電池の取替周期を演算するための複数の演算式が記憶された記憶手段と、監視装置に対する電源のオンオフ回数を検出する第３検出手段と、第３検出手段が検出したオンオフ回数に基づいて、監視装置に対する電源のオンオフ情報を記憶手段に登録する登録手段と、登録手段が記憶手段に登録した電源のオンオフ情報に基づいて、複数の演算式の中から１つを選択する選択手段と、二次電池の温度を検出する第１検出手段と、選択手段が選択した演算式及び第１検出手段が検出した温度に基づいて、二次電池の取替周期を演算する演算手段と、二次電池の稼働時間を検出する第２検出手段と、演算手段が演算した取替周期及び第２検出手段が検出した稼働時間に基づいて、二次電池の残り寿命に応じた信号を送信する通信手段と、を備える。
【０００７】
この発明に係るエレベーター装置は、エレベーターのかごと、かごを制御する制御装置と、制御装置に接続され、外部と通信するための監視装置と、監視装置に電力を供給することが可能な二次電池と、を備える。監視装置は、二次電池を充電するための充電手段と、二次電池の取替周期を演算するための演算式が記憶された記憶手段と、監視装置に対する電源のオンオフ回数を検出する第３検出手段と、第３検出手段が検出したオンオフ回数に基づいて、監視装置に対する電源のオンオフ情報を記憶手段に登録する登録手段と、二次電池の温度を検出する第１検出手段と、登録手段が記憶手段に登録した電源のオンオフ情報及び第１検出手段が検出した温度に基づいて、上記演算式から二次電池の取替周期を演算する演算手段と、二次電池の稼働時間を検出する第２検出手段と、演算手段が演算した取替周期及び第２検出手段が検出した稼働時間に基づいて、二次電池の残り寿命に応じた信号を送信する通信手段と、を備える。
【０００８】
この発明に係る監視装置は、二次電池を充電するための充電手段と、二次電池の取替周期を演算するための複数の演算式が記憶された記憶手段と、電源のオンオフ回数を検出する第３検出手段と、第３検出手段が検出したオンオフ回数に基づいて、電源のオンオフ情報を記憶手段に登録する登録手段と、登録手段が記憶手段に登録した電源のオンオフ情報に基づいて、複数の演算式の中から１つを選択する選択手段と、二次電池の温度を検出する第１検出手段と、選択手段が選択した演算式及び第１検出手段が検出した温度に基づいて、二次電池の取替周期を演算する演算手段と、二次電池の稼働時間を検出する第２検出手段と、演算手段が演算した取替周期及び第２検出手段が検出した稼働時間に基づいて、二次電池の残り寿命に応じた信号を送信する通信手段と、を備える。
【０００９】
この発明に係る監視装置は、二次電池を充電するための充電手段と、二次電池の取替周期を演算するための演算式が記憶された記憶手段と、電源のオンオフ回数を検出する第３検出手段と、第３検出手段が検出したオンオフ回数に基づいて、電源のオンオフ情報を記憶手段に登録する登録手段と、二次電池の温度を検出する第１検出手段と、登録手段が記憶手段に登録した電源のオンオフ情報及び第１検出手段が検出した温度に基づいて、演算式から二次電池の取替周期を演算する演算手段と、二次電池の稼働時間を検出する第２検出手段と、演算手段が演算した取替周期及び第２検出手段が検出した稼働時間に基づいて、二次電池の残り寿命に応じた信号を送信する通信手段と、を備える。
【発明の効果】
【００１０】
この発明によれば、エレベーター装置に備えられた二次電池の取替周期をより正確に知ることができるようになる。
【図面の簡単な説明】
【００１１】
【図１】実施の形態１におけるエレベーター装置の例を示す図である。
【図２】監視装置が有する機能の例を示す図である。
【図３】二次電池の劣化原因を説明するための図である。
【図４】実施の形態１におけるエレベーター装置の動作例を示すフローチャートである。
【図５】監視装置が有する他の機能の例を示す図である。
【図６】エレベーター装置の他の動作例を示すフローチャートである。
【図７】二次電池の種類に応じた寿命曲線の例を示す図である。
【図８】監視装置が有する機能の例を示す図である。
【図９】実施の形態２におけるエレベーター装置の動作例を示すフローチャートである。
【図１０】監視装置が有する他の機能の例を示す図である。
【図１１】監視装置のハードウェア資源の例を示す図である。
【図１２】監視装置のハードウェア資源の他の例を示す図である。
【発明を実施するための形態】
【００１２】
添付の図面を参照し、本発明を説明する。重複する説明は、適宜簡略化或いは省略する。各図において、同一の符号は同一の部分又は相当する部分を示す。
【００１３】
実施の形態１．
図１は、実施の形態１におけるエレベーター装置の例を示す図である。エレベーター装置は、例えばかご１及びつり合いおもり２を備える。かご１は、昇降路３を上下に移動する。つり合いおもり２は、昇降路３を上下に移動する。かご１及びつり合いおもり２は、主ロープ４によって昇降路３に吊り下げられる。
【００１４】
主ロープ４は、巻上機５の駆動綱車６に巻き掛けられる。かご１は、駆動綱車６の回転に応じて移動する。制御装置７は、駆動綱車６の回転及び停止を制御する。即ち、かご１は、制御装置７によって制御される。
【００１５】
監視装置８は、制御装置７に接続され、制御装置７と通信する。監視装置８は、ネットワーク９を介して外部と通信するための装置である。例えば、監視装置８は、ネットワーク９を介して遠隔の情報センター１０に接続される。エレベーター装置では、例えば、定期的に診断運転が行われる。監視装置８は、診断運転で取得されたデータを、ネットワーク９を介して情報センター１０に送信する。
【００１６】
監視装置８は、例えば商用電源（図示せず）から電力が供給される。また、エレベーター装置は、監視装置８に対するバックアップ用の電源として二次電池１１を備える。即ち、監視装置８に対しては、二次電池１１から電力を供給することが可能である。例えば停電によって監視装置８に対する電源がオフになる、即ち商用電源から監視装置８に電力が供給されなくなると、二次電池１１からの電力が監視装置８に供給される。なお、二次電池１１は、監視装置８に内蔵されていても良い。
【００１７】
図１に示す例では、エレベーター装置は、二次電池１１の温度を計測するための温度計１２を更に備える。例えば、温度計１２は、二次電池１１に直接設けられる。温度計１２は、二次電池１１が収納されている筐体の内部に配置されても良い。温度計１２によって計測された温度の情報は、監視装置８に入力される。
【００１８】
図２は、監視装置８が有する機能の例を示す図である。図２に示すように、監視装置８は、例えば記憶部２０、充電部２１、選択部２２、温度検出部２３、周期演算部２４、時間検出部２５、寿命演算部２６、判定部２７、及び通信部２８を備える。充電部２１は、二次電池１１を充電する。商用電源から監視装置８に電力が供給されている間は、二次電池１１は、基本的に満充電状態である。
【００１９】
記憶部２０に、制御に必要な情報が記憶される。例えば、記憶部２０に、第１演算式と第２演算式とが記憶される。第１演算式及び第２演算式は、二次電池１１の取替周期を演算するための式である。第１演算式を［数１］に示す。第２演算式を［数２］に示す。
【００２０】
【数１】
0006860680.tif 000002
【００２１】
【数２】
0006860680.tif 000003
【００２２】
ここで、
Ｑ１、Ｑ２：容量維持率（％）
Ｔ：使用環境の絶対温度（Ｋ）
Ｎｐ：稼働時間（ｈ）
Ａｐ、−ＥＲ／Ｒ、Ａｃｙｃ、−Ｅｃｙｃ／Ｒ：定数
である。劣化速度を表す定数は、例えば、劣化係数と温度との関係がアレニウス則に従うものとして決定される。
【００２３】
図３は、二次電池の劣化原因を説明するための図である。多くのエレベーター装置では、基本的に電源がオフにされることなく使用される。このようなエレベーター装置では、監視装置に対する電源も基本的にオフにはならない。二次電池に対してはトリクル充電のみが行われる。
【００２４】
このようなエレベーター装置に備えられている二次電池の劣化は、稼働時間に起因する。第１演算式は、稼働時間に起因する劣化に基づいて二次電池の取替周期を演算するための式である。第１演算式では、稼働時間に起因する劣化に相当する値を計算し、その値を１から減ずることにより、二次電池の初期の容量を１００％とした時の比率を容量維持率Ｑ１として算出している。図３に示す曲線Ａは、稼働時間Ｎｐを変数とする第１演算式によって演算される容量維持率Ｑ１の例を示す。
【００２５】
一方、一部のエレベーター装置では、定期的に或いは不定期で電源が落とされる。このようなエレベーター装置では、監視装置に対する電源も定期的に或いは不定期でオフになる。監視装置に対する電源がオフになると、二次電池から監視装置に電力が供給される。また、その後に監視装置に対する電源がオンになると、二次電池が充電される。即ち、このようなエレベーター装置では、二次電池に対して充放電が繰り返される。
【００２６】
このようなエレベーター装置に備えられている二次電池の劣化は、稼働時間と充放電とに起因する。第２演算式は、稼働時間に起因する劣化と充放電に起因する劣化とに基づいて二次電池の取替周期を演算するための式である。第２演算式は、稼働時間に起因する劣化と充放電に起因する劣化とが独立に進行し、それらの和が二次電池の容量劣化に相当することを示している。即ち、第２演算式では、稼働時間に起因する劣化に相当する値と充放電に起因する劣化に相当する値とをそれぞれ独立に計算し、それらの和を１から減ずることにより、二次電池の初期の容量を１００％とした時の比率を容量維持率Ｑ２として算出している。図３に示す曲線Ｂは、稼働時間Ｎｐを変数とする第２演算式によって演算される容量維持率Ｑ２の例を示す。なお、図３では、温度Ｔに特定の値を代入することにより、曲線Ａ及び曲線Ｂを求めている。
【００２７】
第１演算式及び第２演算式において、Ａｐは、稼働時間に起因する劣化を表す定数である。同様に、−ＥＲ／Ｒは、稼働時間に起因する劣化のエネルギーを表す定数である。Ａｃｙｃは、充放電に起因する劣化を表す定数である。−Ｅｃｙｃ／Ｒは、充放電に起因する劣化のエネルギーを表す定数である。
【００２８】
以下に、図４も参照し、本エレベーター装置が有する機能について説明する。図４は、実施の形態１におけるエレベーター装置の動作例を示すフローチャートである。
【００２９】
本実施の形態に示す例では、記憶部２０に、監視装置８に対する電源のオンオフ情報が予め記憶される。上述したように、エレベーター装置には、監視装置に対する電源が基本的にオフにならないものと、監視装置に対する電源が定期的に或いは不定期でオフになるものとがある。記憶部２０には、本エレベーター装置に備えられた監視装置８がどちらのタイプに該当するかを示す情報がオンオフ情報として予め記憶される。例えば、監視装置８の電源が基本的にオフにならないのであれば、オンオフ情報として情報Ｃ１が記憶部２０に予め記憶される。監視装置８の電源がオフになり得るのであれば、オンオフ情報として情報Ｃ２が記憶部２０に予め記憶される。
【００３０】
監視装置８では、選択部２２が、記憶部２０に記憶されたオンオフ情報を取得する（Ｓ１０１）。選択部２２は、Ｓ１０１で取得したオンオフ情報に基づいて、第１演算式又は第２演算式の一方を選択する（Ｓ１０２）。例えば、記憶部２０に情報Ｃ１が記憶されていれば、選択部２２は、Ｓ１０２で第１演算式を選択する。記憶部２０に情報Ｃ２が記憶されていれば、選択部２２は、Ｓ１０２で第２演算式を選択する。
【００３１】
次に、温度検出部２３は、二次電池１１の温度を検出する（Ｓ１０３）。上述したように、温度計１２によって計測された温度の情報は、監視装置８に入力される。温度検出部２３は、温度計１２から入力された情報に基づいて、二次電池１１の温度を検出する。
【００３２】
次に、周期演算部２４は、二次電池１１の取替周期を演算する（Ｓ１０４）。周期演算部２４は、Ｓ１０２で選択部２２が選択した演算式とＳ１０３で温度検出部２３が検出した温度とに基づいて、Ｓ１０４の演算を行う。例えば、Ｓ１０２で選択部２２が第１演算式を選択していれば、周期演算部２４は、第１演算式を用いて二次電池１１の取替周期を演算する。
【００３３】
例えば、二次電池１１が寿命と判断される容量維持率Ｑ１の値は予め設定される。図３では、当該容量維持率Ｑ１の値を閾値と表記している。一例として、上記閾値は、停電時に監視装置８から情報センター１０への発報を一定時間以上継続して行うことが可能な容量に基づいて設定される。上記一定時間は例えば３０分であり、上記閾値は例えば２７％に設定される。二次電池１１を寿命と判断する容量維持率Ｑ１の値は上記例に限定されない。
【００３４】
二次電池１１を寿命と判断する容量維持率Ｑ１の値と使用環境の温度Ｔを第１演算式に代入することにより、その使用環境において寿命となる稼働時間Ｎｐ、即ち取替周期を算出することができる。なお、温度Ｔは、温度検出部２３が検出した温度から求めることができる。一例として、温度検出部２３が検出した温度［℃］の平均値に２７３．１５を加算することにより、温度Ｔを得ることができる。
【００３５】
Ｓ１０２で選択部２２が第２演算式を選択した場合も同様である。即ち、Ｓ１０２で選択部２２が第２演算式を選択していれば、周期演算部２４は、第２演算式を用いて二次電池１１の取替周期を演算する。例えば、二次電池１１が寿命と判断される容量維持率Ｑ２の値（閾値）は予め設定される。一例として、上記閾値は２７％に設定される。二次電池１１を寿命と判断する容量維持率Ｑ２の値と使用環境の温度Ｔを第２演算式に代入することにより、その使用環境において寿命となる稼働時間Ｎｐ、即ち取替周期を算出することができる。
【００３６】
次に、時間検出部２５は、二次電池１１の稼働時間を検出する（Ｓ１０５）。例えば、時間検出部２５は、二次電池１１が取り付けられてから現在までの経過時間を稼働時間として検出する。
【００３７】
次に、寿命演算部２６は、二次電池１１の残り寿命を演算する（Ｓ１０６）。寿命演算部２６は、周期演算部２４が演算した二次電池１１の取替周期と時間検出部２５が検出した二次電池１１の実際の稼働時間とに基づいて、Ｓ１０６の演算を行う。例えば、寿命演算部２６は、Ｓ１０４で演算された取替周期からＳ１０５で検出された稼働時間を減算することにより、二次電池１１の残り寿命を得ることができる。
【００３８】
次に、判定部２７は、寿命演算部２６によって演算された二次電池１１の残り寿命が基準値を下回ったか否かを判定する（Ｓ１０７）。Ｓ１０７でＹｅｓと判定されると、通信部２８は、二次電池１１の取替時期が迫っていることを示す信号を情報センター１０に送信する（Ｓ１０８）。Ｓ１０７でＮｏと判定されると、監視装置８は処理を終了する。
【００３９】
本実施の形態に示す例であれば、周期演算部２４が演算した取替周期と時間検出部２５が検出した稼働時間とに基づいて、二次電池１１の残り寿命に応じた信号を通信部２８から送信することができる。例えば、残り寿命と比較する基準値を複数段階に設定することにより、通信部２８から情報センター１０に対して、二次電池１１の残り寿命に応じた複数の信号を送信しても良い。例えば、第１基準値を９０日に設定すれば、二次電池１１が寿命と判断される３ヶ月前に、取替えを促す第１信号を情報センター１０に送信することができる。更に、第２基準値を３０日に設定すれば、第１信号が送信されてから２ヵ月後に、取替えを促す第２信号を情報センター１０に送信することができる。
【００４０】
また、本実施の形態に示す例では、選択部２２が、記憶部２０に記憶されたオンオフ情報に基づいて第１演算式又は第２演算式の一方を選択する。そして、選択部２２が選択した演算式に基づいて、二次電池１１の取替周期が演算される。本実施の形態に示す例であれば、二次電池１１の取替周期をより正確に知ることができる。更に、二次電池１１の在庫管理が容易になり、保守員による取替作業の負担も軽減できる。
【００４１】
図５は、監視装置８が有する他の機能の例を示す図である。図６は、エレベーター装置の他の動作例を示すフローチャートである。図５に示す例では、監視装置８は、図２に示す機能に加え、回数検出部２９、及び登録部３０を更に備える。
【００４２】
回数検出部２９は、監視装置８に対する電源のオンオフ回数を検出する（Ｓ２０１）。登録部３０は、回数検出部２９が検出したオンオフ回数に基づいて、監視装置８に対する電源のオンオフ情報を記憶部２０に登録する（Ｓ２０２）。例えば、回数検出部２９が検出したオンオフ回数が０回であれば、登録部３０は、情報Ｃ１をオンオフ情報として記憶部２０に登録する。回数検出部２９が検出したオンオフ回数が１回以上であれば、登録部３０は、情報Ｃ２をオンオフ情報として記憶部２０に登録する。
【００４３】
他の例として、回数検出部２９が直近の１年間に検出したオンオフ回数が特定の回数以下であれば、登録部３０は、情報Ｃ１をオンオフ情報として記憶部２０に登録しても良い。かかる場合、回数検出部２９が直近の１年間に検出したオンオフ回数が上記特定の回数を超えると、登録部３０は、情報Ｃ２をオンオフ情報として記憶部２０に登録する。
【００４４】
図７は、二次電池の種類に応じた寿命曲線の例を示す図である。エレベーター装置には、監視装置に対するバックアップ用の電源として、Ｎｉ−Ｃｄ電池を備えるものがある。他の例として、監視装置に対するバックアップ用の電源として、Ｎｉ−ＭＨ電池も採用され得る。
【００４５】
図７に示す曲線Ａ１は、二次電池１１としてＮｉ−Ｃｄ電池が採用された場合の第１演算式で表される曲線の例である。曲線Ｂ１は、二次電池１１としてＮｉ−Ｃｄ電池が採用された場合の第２演算式で表される曲線の例である。ＴＨ１は、Ｎｉ−Ｃｄ電池に対応する閾値を示す。同様に、曲線Ａ２は、二次電池１１としてＮｉ−ＭＨ電池が採用された場合の第１演算式で表される曲線の例である。曲線Ｂ２は、二次電池１１としてＮｉ−ＭＨ電池が採用された場合の第２演算式で表される曲線の例である。ＴＨ２は、Ｎｉ−ＭＨ電池に対応する閾値を示す。
【００４６】
例えば、記憶部２０に、二次電池１１の種類に応じた複数組の第１演算式と第２演算式とが予め記憶されても良い。かかる場合、記憶部２０に、採用されている二次電池１１の種類を示す情報が記憶される。選択部２２は、Ｓ１０２において、記憶部２０に記憶されたオンオフ情報と二次電池１１の種類を示す情報とに基づいて、記憶部２０に記憶された複数の演算式の中から１つを選択すれば良い。例えば、記憶部２０に、二次電池１１の種類を示す情報としてＮｉ−ＭＨ電池を示す情報が、オンオフ情報として情報Ｃ１が記憶されている場合、選択部２２は、上記曲線Ａ２に対応する第１演算式をＳ１０２で選択する。
【００４７】
実施の形態２．
実施の形態１では、記憶部２０に、二次電池１１の取替周期を演算するための複数の演算式が記憶される例について説明した。本実施の形態では、記憶部２０に１つの演算式が記憶される例について説明する。本実施の形態では、実施の形態１で開示した例と相違する点について詳しく説明する。
【００４８】
図８は、監視装置８が有する機能の例を示す図である。本実施の形態に示す例では、監視装置８は、例えば記憶部２０、充電部２１、温度検出部２３、周期演算部２４、時間検出部２５、寿命演算部２６、判定部２７、及び通信部２８を備える。
【００４９】
記憶部２０に、第３演算式が記憶される。第３演算式は、二次電池１１の取替周期を演算するための式である。第３演算式を［数３］に示す。
【００５０】
【数３】
0006860680.tif 000004
【００５１】
ここで、Ｑ３は容量維持率（％）であり、Ｄは監視装置８に対する電源のオンオフ回数である。例えば、オンオフ回数は、１年間に電源がオンからオフに切り替えられた回数で表される。オンオフ回数は、１年間に電源がオフからオンに切り替えられた回数であっても良い。なお、実施の形態１で示した第１演算式は、第３演算式においてＤの値が０である場合に相当する。第２演算式は、第３演算式においてＤの値が３６５である場合に相当する。
【００５２】
以下に、図９も参照し、本エレベーター装置が有する機能について説明する。図９は、実施の形態２におけるエレベーター装置の動作例を示すフローチャートである。
【００５３】
本実施の形態に示す例では、記憶部２０に、監視装置８に対する電源のオンオフ回数がオンオフ情報として予め記憶される。例えば、監視装置８に対する電源が１日に１回落とされると予想されるのであれば、オンオフ情報として「３６５回」を示す情報が記憶部２０に記憶される。監視装置８に対する電源が１週間に１回落とされると予想されるのであれば、オンオフ情報として「５２回」を示す情報が記憶部２０に記憶される。
【００５４】
監視装置８では、温度検出部２３が、二次電池１１の温度を検出する（Ｓ３０１）。Ｓ３０１に示す処理は、Ｓ１０３に示す処理と同様である。
【００５５】
次に、周期演算部２４は、記憶部２０に記憶されたオンオフ情報を取得する（Ｓ３０２）。また、周期演算部２４は、二次電池１１の取替周期を演算する（Ｓ３０３）。周期演算部２４は、Ｓ３０２で取得したオンオフ情報とＳ３０１で温度検出部２３が検出した温度とに基づいて、第３演算式を用いてＳ３０３の演算を行う。
【００５６】
実施の形態１に示す例と同様に、二次電池１１が寿命と判断される容量維持率Ｑ３の値は予め設定される。二次電池１１を寿命と判断する容量維持率Ｑ３の値、使用環境の温度Ｔ、及びオンオフ回数（オンオフ情報）を第３演算式に代入することにより、その使用環境において寿命となる稼働時間Ｎｐ、即ち取替周期を算出することができる。
【００５７】
図９のＳ３０４からＳ３０７に示す処理は、図４のＳ１０５からＳ１０８に示す処理と同様である。例えば、時間検出部２５は、二次電池１１の稼働時間を検出する（Ｓ３０４）。次に、寿命演算部２６は、二次電池１１の残り寿命を演算する（Ｓ３０５）。例えば、寿命演算部２６は、周期演算部２４が演算した二次電池１１の取替周期と時間検出部２５が検出した二次電池１１の実際の稼働時間とに基づいて、Ｓ３０５の演算を行う。
【００５８】
次に、判定部２７は、寿命演算部２６によって演算された二次電池１１の残り寿命が基準値を下回ったか否かを判定する（Ｓ３０６）。Ｓ３０６でＹｅｓと判定されると、通信部２８は、二次電池１１の取替時期が迫っていることを示す信号を情報センター１０に送信する（Ｓ３０７）。Ｓ３０６でＮｏと判定されると、監視装置８は処理を終了する。
【００５９】
本実施の形態に示す例であれば、周期演算部２４が演算した取替周期と時間検出部２５が検出した稼働時間とに基づいて、二次電池１１の残り寿命に応じた信号を通信部２８から送信することができる。残り寿命と比較する基準値を複数段階に設定することにより、通信部２８から情報センター１０に対して、二次電池１１の残り寿命に応じた複数の信号を送信しても良い。
【００６０】
また、実施の形態２に示す例では、周期演算部２４が記憶部２０に記憶されたオンオフ情報にも基づいて二次電池１１の取替周期を演算する。このため、二次電池１１の取替周期をより正確に知ることができる。また、二次電池１１の在庫管理が容易になり、保守員による取替作業の負担も軽減できる。
【００６１】
図１０は、監視装置８が有する他の機能の例を示す図である。図１０に示す例では、監視装置８は、図８に示す機能に加え、回数検出部２９、及び登録部３０を更に備える。エレベーター装置では、例えば図６に示す動作と同様の動作が行われる。
【００６２】
回数検出部２９は、監視装置８に対する電源のオンオフ回数を検出する（Ｓ２０１）。登録部３０は、回数検出部２９が検出したオンオフ回数に基づいて、監視装置８に対する電源のオンオフ情報を記憶部２０に登録する（Ｓ２０２）。例えば、登録部３０は、回数検出部２９が直近の１年間に検出したオンオフ回数をオンオフ情報として記憶部２０に登録する。かかる場合、周期演算部２４は、登録部３０が記憶部２０に登録したオンオフ情報をＳ３０２において取得する。
【００６３】
なお、上述したように、実施の形態１で示した第１演算式は、第３演算式においてＤの値が０である場合に相当する。第２演算式は、第３演算式においてＤの値が３６５である場合に相当する。実施の形態１に示す例においては、二次電池１１の取替周期をより正確に把握するため、第３演算式においてＤに異なる値を代入した３つ以上の演算式を記憶部２０に予め記憶させても良い。
【００６４】
例えば、３つの演算式を使用する場合は、上記第１演算式及び第２演算式に加え、第３演算式においてＤの値が１８３（≒３６５／２）である第４演算式を記憶部２０に予め記憶させても良い。４つの演算式を使用する場合は、上記第１演算式及び第２演算式に加え、第３演算式においてＤの値が１２２（≒３６５／３）である第５演算式と第３演算式においてＤの値が２４４である第６演算式とを記憶部２０に予め記憶させても良い。
【００６５】
例えば、登録部３０は、回数検出部２９が直近の１年間に検出したオンオフ回数をオンオフ情報として記憶部２０に登録する。そして、選択部２２は、記憶部２０に記憶されたオンオフ情報に基づいて、記憶部２０に記憶された複数の演算式の中から最適な１つを選択する。一例として、記憶部２０に上記４つの演算式が記憶されている場合、オンオフ情報として「２５０回」を示す情報が記憶部２０に記憶されていれば、選択部２２は、Ｓ１０２において第６演算式を選択する。
【００６６】
本実施の形態において、符号２０〜３０に示す各部は、監視装置８が有する機能を示す。図１１は、監視装置８のハードウェア資源の例を示す図である。監視装置８は、ハードウェア資源として、例えばプロセッサ４１とメモリ４２とを含む処理回路４０を備える。記憶部２０が有する機能はメモリ４２によって実現される。監視装置８は、メモリ４２に記憶されたプログラムをプロセッサ４１によって実行することにより、符号２１〜３０に示す各部の機能を実現する。
【００６７】
図１２は、監視装置８のハードウェア資源の他の例を示す図である。図１２に示す例では、監視装置８は、例えばプロセッサ４１、メモリ４２、及び専用ハードウェア４３を含む処理回路４０を備える。図１２は、監視装置８が有する機能の一部を専用ハードウェア４３によって実現する例を示す。監視装置８が有する機能の全部を専用ハードウェア４３によって実現しても良い。
【産業上の利用可能性】
【００６８】
この発明は、例えば、監視装置に対するバックアップ用の電源として二次電池を備えるエレベーター装置に適用できる。
【符号の説明】
【００６９】
１  かご、  ２  つり合いおもり、  ３  昇降路、  ４  主ロープ、  ５  巻上機、  ６  駆動綱車、  ７  制御装置、  ８  監視装置、  ９  ネットワーク、  １０  情報センター、  １１  二次電池、  １２  温度計、  ２０  記憶部、  ２１  充電部、  ２２  選択部、  ２３  温度検出部、  ２４  周期演算部、  ２５  時間検出部、  ２６  寿命演算部、  ２７  判定部、  ２８  通信部、  ２９  回数検出部、  ３０  登録部、  ４０  処理回路、  ４１  プロセッサ、  ４２  メモリ、  ４３  専用ハードウェア
【図１】
0006860680.tif 000005
【図２】
0006860680.tif 000006
【図３】
0006860680.tif 000007
【図４】
0006860680.tif 000008
【図５】
0006860680.tif 000009
【図６】
0006860680.tif 000010
【図７】
0006860680.tif 000011
【図８】
0006860680.tif 000012
【図９】
0006860680.tif 000013
【図１０】
0006860680.tif 000014
【図１１】
0006860680.tif 000015
【図１２】
0006860680.tif 000016